(57)【要約】【課題】移動用としても詳細な番組情報や数多くの番組情報を取得することのできるデジタル放送受信装置を提供する。【解決手段】一の階層およびその階層よりも弱階層である他の階層に分離可能なデジタル放送信号を受信するデジタル放送受信装置であって、表示部１０に対して、一の階層に含まれる映像信号に対応する映像を表示させ、他の階層に含まれる番組情報信号に対応する番組表を表示させることができる制御部１５を備えている。この制御部１５は、表示部１０に表示させる番組表を一の階層に含まれる番組情報信号に対応するものにするか他の階層に含まれる番組情報信号に対応する番組表にするかを受信状況に応じて切り替えるのがよい。【選択図】図１
2007116603.tif 000002
【特許請求の範囲】
【請求項１】
一の階層および前記一の階層よりも弱階層である他の階層に分離可能なデジタル放送信号を受信するデジタル放送受信装置であって、
表示部に対して、前記一の階層に含まれる映像信号に対応する映像を表示させ、前記他の階層に含まれる番組情報信号に対応する番組表を表示させる制御部を備えるデジタル放送受信装置。
【請求項２】
前記他の階層の受信状況を検知する受信状況検知部を備え、
前記制御部は、前記表示部に対して表示させる番組表を前記一の階層に含まれる番組情報信号に対応する番組表にするか前記他の階層に含まれる番組情報信号に対応する番組表にするかを前記受信状況検知部で検知された受信状況に応じて切り替えることを特徴とする請求項１に記載のデジタル放送受信装置。
【請求項３】
前記一の階層を１セグメントとし、前記他の階層を１２セグメントとするデジタル放送信号を受信することを特徴とする請求項１または請求項２に記載のデジタル放送受信装置。
【請求項４】
デジタル放送の分割されたセグメントを部分的に受信する第１のチューナー部と、
前記第１のチューナー部から出力される信号を番組情報信号に変換する第１のデコード部と、
前記第１のデコード部からの出力信号をもとに番組表を作成する番組表作成部と、
デジタル放送の分割されたセグメントを部分的に受信する第２のチューナー部と、
前記第２のチューナー部から出力される信号を映像信号に変換する第２のデコード部と、
前記番組表作成部からの出力信号と前記第２のデコード部からの出力信号を選択的にあるいは組み合わせて表示する表示部とを備えたことを特徴とするデジタル放送受信装置。
【請求項５】
前記第１のチューナー部は、地上デジタル放送において伝送帯域を分割して複数階層で構成された放送信号のうち、相対的に弱階層の放送信号を受信し、
前記第２のチューナー部は、地上デジタル放送において伝送帯域を分割して複数階層で構成された放送信号のうち、相対的に強階層の放送信号を受信することを特徴とする請求項４に記載のデジタル放送受信装置。
【請求項６】
前記第１のチューナー部の受信感度を検知する受信感度検知部と、
前記受信感度検知部によって検知された受信感度の良否によって弱階層の放送信号から分離されたＰＳＩ／ＳＩ信号と強階層の放送信号から分離されたＰＳＩ／ＳＩ信号とを切り替えるＰＳＩ／ＳＩ信号切替部とを備えたことを特徴とする請求項５に記載のデジタル放送受信装置。 
【発明の詳細な説明】
【技術分野】
【０００１】
本発明は、デジタル放送の番組情報を表示する機能を備えた、主に移動体向けに好適な地上波デジタル放送受信装置に関するものである。
【背景技術】
【０００２】
日本の地上波デジタル放送の技術基準としてＩＳＤＢ−Ｔ（Ｉｎｔｅｇｒａｔｅｄ Ｓｅｒｖｉｃｅｓ Ｄｉｇｉｔａｌ Ｂｒｏａｄｃａｓｔｉｎｇ ｆｏｒ Ｔｅｒｒｅｓｔｒｉａｌ）方式が１９９９年に策定された。ＩＳＤＢ−Ｔ方式の最大の特徴は、伝送帯域を１３のセグメントに分割し、セグメント単位で変調方式を変更可能なことであり、最大３種類（３階層）の変調方式を組み合わせて伝送できる。例えば、１３セグメントのうち９セグメントを用いて固定受信機向けに高精細放送（ＨＤＴＶ：Ｈｉｇｈ Ｄｅｆｉｎｉｔｉｏｎ Ｔｅｌｅｖｉｓｉｏｎ）を、３セグメントを用いて移動受信機向けに標準放送（ＳＤＴＶ：Ｓｔａｎｄａｒｄ Ｄｅｆｉｎｉｔｉｏｎ Ｔｅｌｅｖｉｓｉｏｎ）を、１セグメントを用いて携帯受信機向けに簡易放送をそれぞれ提供することが可能となる。
【０００３】
地上波デジタル放送は２００３年より１２セグメントまたは１３セグメントを用いた本放送が開始されているが、さらに１セグメント（１セグ）や３セグメント（３セグ）を使用した放送が２００６年より開始される予定である。当面の間は１２セグメントおよび１セグメントで同一の番組を提供するサイマル放送が実施される見込みである。
【０００４】
１２セグメント放送は広い帯域を利用して高精細な画像・音声を提供できるがノイズによる誤りに弱く、移動しながらの受信には不向きであるという特徴がある。一方、１セグメント放送や３セグメント放送は狭い帯域を利用するため、伝送レートは低いが誤りに強く移動しながらの受信に適している。移動／停止を頻繁に繰り返す車載用デジタル放送受信装置等の場合、弱階層の放送信号（例えば１２セグメント放送信号）、強階層の放送信号（例えば１セグメント放送信号）ともに対応することが望まれており、両放送信号とも受信可能な端末の開発が進められている。
【０００５】
従来のデジタル放送受信装置としては、携帯電話等のモバイル端末において、番組視聴するための受信部に加え、番組視聴と同期又は非同期に番組情報を受信・解析するための受信部を設けて、更にその表示方法を工夫し、番組選択が容易な番組情報提供を可能にしたものがある（例えば、特許文献１参照）。
【０００６】
具体的には、図５に示すように、複数の１セグ用チューナーモジュール１０１Ａ、１０１Ｂを設置し、両チューナーモジュール１０１Ａ、１０１Ｂを、デジタル放送の映像・音声に関する信号を取得する第１のデジタルチューナーと、番組表を作成するために必要な情報を取得する第２のデジタルチューナーとに役割分割して、デジタル放送受信端末にとって利便性の高い番組情報表示機能を提供するようにしている。すなわち、図５に示すデジタル放送受信装置１００では、チューナーモジュール１０１Ａ、１０１Ｂに加えて、これらに対応する第１デコード部１０２Ａ及び第２デコード部１０２Ｂを設けるとともに、一方の第１デコード部１０２Ａの出力を基に番組表を作成する番組表作成部１０３を設けて、他方の第２デコード部１０２Ｂからの映像に関する信号と音声に関する信号をそれぞれ表示部１０４および音声出力部１０５から出力するのに加えて、番組表作成部１０３からの出力を表示部１０４で表示できるようにしている。
【０００７】
ここで、チューナーモジュール１０１Ａ、１０１Ｂは、それぞれ受信波を復調してトランスポートストリーム（Ｔｒａｎｓｐｏｒｔ Ｓｔｒｅａｍ；以下、単にＴＳという）を出力する。ＴＳとは、ＭＰＥＧ（Ｍｏｖｉｎｇ Ｐｉｃｔｕｒｅ Ｅｘｐｅｒｔ Ｇｒｏｕｐ）２Ｓｙｓｔｅｍｓで規定されたプロトコルで、映像、音声、その他のデータ（データ放送、ＥＰＧ（電子番組ガイド）、選曲情報等）を多重化し伝送に好適な信号形式としたパケット単位の信号である。放送データは、ＭＰＥＧ２Ｓｙｓｔｅｍｓで規定される複数個のＴＳＰ（Ｔｒａｎｓｐｏｒｔ Ｓｔｒｅａｍ Ｐａｃｋｅｔ；以下、ＴＳパケットともいう）からなるデータセグメント単位で構成され、これにパイロット信号を付けたＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）ブロックを１３個組み合わせた送信データとなっている。また、ＴＳは、第１デコード部１０２Ａおよび第２デコード部１０２Ｂでそれぞれ、映像・音声、番組表情報データなど目的別のエレメンタリーストリーム（Ｅｌｅｍｅｎｔａｒｙ Ｓｔｒｅａｍ；以下、単にＥＳという）に分離された後、それぞれ番組表情報、映像に関する信号、音声に関する信号等に復号され、番組表作成や映像・音声の出力に供される。
【０００８】
従来のデジタル放送受信装置として、さらに、電源投入直後に選局手段を介して全チャンネルを順次選局させることにより、電源投入直後における全チャンネルの最新の電子番組情報を取得するようにしたものも知られている（例えば、特許文献２参照）。
【特許文献１】特開２００４−２２２０３１号公報
【特許文献２】特開２００５−０３３５６７号公報
【発明の開示】
【発明が解決しようとする課題】
【０００９】
しかしながら、番組情報を取得するチューナーとして１セグメント放送を受信するデジタルチューナーもしくはアナログ放送を受信するアナログチューナーを備えた従来のデジタル放送受信装置にあっては、１セグメント放送を受信するチューナーを用いた場合、取得できる各番組の情報量が少ないという問題や、得られる番組情報の数が少ないという問題がある。
【００１０】
また、アナログ放送を受信するチューナーを用いた場合は、比較的長い周期で番組情報が配信されるため、番組の変更などに追随できないといった問題が生じる。
【００１１】
さらに、アナログＴＶ放送は２０１１年に停波となるため、将来に渡りアナログ放送用のチューナーを使用し続けることができないという問題もある。
【００１２】
本発明は、このような従来の問題を解決するためになされたもので、番組情報をより詳細に取得でき、また番組情報を数多く取得することのできるデジタル放送受信装置を提供するものである。
【課題を解決するための手段】
【００１３】
上記課題を解決するため、本発明のデジタル放送受信装置は、一の階層および前記一の階層よりも弱階層である他の階層に分離可能なデジタル放送信号を受信するデジタル放送受信装置であって、表示部に対して、前記一の階層に含まれる映像信号に対応する映像を表示させ、前記他の階層に含まれる番組情報信号に対応する番組表を表示させる制御部を備えるものである。
【００１４】
この構成により、一の階層に含まれる映像信号を、他の階層に含まれる番組情報信号に対応する番組表と選択的にあるいは組み合わせて表示することで、受信した放送画像の安定した出力ができるとともに番組情報を常に適確に出力可能となる。
【００１５】
また、本発明のデジタル放送受信装置は、前記他の階層の受信状況を検知する受信状況検知部を備え、前記制御部は、前記表示部に対して表示させる番組表を前記一の階層に含まれる番組情報信号に対応する番組表にするか前記他の階層に含まれる番組情報信号に対応する番組表にするかを前記受信状況検知部で検知された受信状況に応じて切り替えるのがよい。
【００１６】
この構成により、受信状況が悪化した場合、弱階層の放送信号から分離された番組情報に関する信号に代えて、強階層の放送信号から分離された番組情報に関する信号を使用するように、番組情報に関する信号を切り替えることができ、番組情報を視聴者に絶えず提供することができる。
【００１７】
さらに、本発明のデジタル放送受信装置は、好ましくは、前記一の階層を１セグメントとし、前記他の階層を１２セグメントとするデジタル放送信号を受信するものである。
【００１８】
この構成により、安定した受信状況の下で１２セグメントの放送信号から詳細な番組情報を取得可能であるとともに、受信状況が悪化した場合でも１セグメントの放送信号から番組情報を確実に視聴者に提供することができる。
【００１９】
本発明のデジタル放送受信装置は、あるいは、デジタル放送の分割されたセグメントを部分的に受信する第１のチューナー部と、前記第１のチューナー部から出力される信号を番組情報信号に変換する第１のデコード部と、前記第１のデコード部からの出力信号をもとに番組表を作成する番組表作成部と、デジタル放送の分割されたセグメントを部分的に受信する第２のチューナー部と、前記第２のチューナー部から出力される信号を映像信号に変換する第２のデコード部と、前記番組表作成部からの出力信号と前記第２のデコード部からの出力信号を選択的にあるいは組み合わせて表示する表示部とを備えた構成を有している。
【００２０】
この構成により、第２のチューナー部は複数階層で構成された放送信号のうち一部のセグメントの放送信号を受信するので、第１のチューナー部より受信状態に適した放送信号を受信でき、その放送信号からの復号出力を番組表作成部からの出力信号と選択的にあるいは組み合わせて表示することから、安定した放送画像出力ができるとともに詳しい番組情報を適確に出力可能となる。
【００２１】
本発明のデジタル放送受信装置は、好ましくは、前記第１のチューナー部は、地上デジタル放送において伝送帯域を分割して複数階層で構成された放送信号のうち、相対的に弱階層の放送信号を受信し、前記第２のチューナー部は、地上デジタル放送において伝送帯域を分割して複数階層で構成された放送信号のうち、相対的に強階層の放送信号を受信するものである。
【００２２】
この構成により、第２のチューナー部では複数階層で構成された放送信号のうち、移動中での受信に適した強階層の放送信号を受信することができ、安定した番組の視聴ができる。また、第１のチューナー部は複数階層で構成された放送信号のうち、弱階層の放送信号を受信できるため、弱階層の放送信号に含まれる詳細な番組情報を取得することができる。したがって、内容の充実した番組情報を安定的に出力可能となる。
【００２３】
本発明においては、さらに、前記第１のチューナー部の受信感度を検知する受信感度検知部と、前記受信感度検知部によって検知された受信感度の良否によって弱階層の放送信号から分離されたＰＳＩ／ＳＩ（番組特定情報／番組配列情報）信号と強階層の放送信号から分離されたＰＳＩ／ＳＩ信号とを切り替えるＰＳＩ／ＳＩ信号切替部とを備えるのがよい。
【００２４】
この構成により、受信状態が悪化した場合、弱階層の放送信号から分離された番組情報に関する信号に代えて、強階層の放送信号から分離された番組情報に関する信号を使用するように、番組情報に関する信号を切り替えることができるので、番組情報を視聴者に絶えず提供することができる。
【発明の効果】
【００２５】
本発明によれば、一の階層、例えば弱階層の放送信号から得られる詳細な番組情報と、他の階層、例えば強階層の放送信号から得られる安定した番組情報を適宜選択し又は組み合わせて充実した番組情報を視聴者に絶えず提供することができ、移動中のデジタル放送受信に適した番組情報を安定的に出力可能なデジタル放送受信装置を提供することができる。
【発明を実施するための最良の形態】
【００２６】
以下、本発明の好ましい実施の形態について、図面を用いて説明する。
【００２７】
（第１の実施の形態）
図１は、本発明の第１の実施の形態に係るデジタル放送受信装置を示すそのブロック図であり、本発明を車載用又は移動端末としてのデジタル放送受信装置に適用した例を示している。
【００２８】
まず、その構成を説明する。
【００２９】
図１において、デジタル放送受信装置１は、１２セグ用チューナーモジュール２と、１２セグ用チューナーモジュール２の出力信号から番組の情報を含む特定の信号（後述するＰＳＩ／ＳＩに関する信号）を分離するデマルチプレクサ４と、デマルチプレクサ４の出力信号をデコード処理するＰＳＩ／ＳＩデコーダ６と、ＰＳＩ／ＳＩデコーダ６の出力信号から番組表を作成する番組表作成部９と、１セグ用チューナーモジュール３と、１セグ用チューナーモジュール３の出力信号から映像と音声に関する特定の信号を分離するデマルチプレクサ５と、デマルチプレクサ５の映像に関する出力信号をデコード処理するＨ．２６４（ＭＰＥＧ−４ Ｐａｒｔ１０：Ａｄｖａｎｃｅｄ Ｖｉｄｅｏ Ｃｏｄｉｎｇ）デコーダ７と、デマルチプレクサ５の音声に関する出力信号をデコード処理するＡＡＣ（Ａｄｖａｎｃｅｄ Ａｕｄｉｏ Ｃｏｄｉｎｇ、 ＩＳＯ／ＩＥＣ １３８１８−７）デコーダ８と、番組表作成部９の出力信号とＨ．２６４デコーダ７の出力信号を選択的にあるいは組み合わせて表示することができる表示部１０と、ＡＡＣデコーダの出力信号から音声に変換して出力する音声出力部１１とを具備している。
【００３０】
１２セグ用チューナーモジュール２は、１２セグメントのデジタル放送、すなわち地上デジタル放送において伝送帯域を分割して複数階層で構成された放送信号のうち相対的に弱階層の放送信号（一の階層）を受信する第１のチューナー部である。一方、１セグ用チューナーモジュール３は、複数階層で構成された放送信号のうち一部のセグメントの放送信号を受信する第２のチューナー部であり、１セグメントのデジタル放送、すなわち、地上デジタル放送において伝送帯域を分割して複数階層で構成された放送信号のうち相対的に強階層の放送信号（他の階層）を受信する。これら１２セグ用チューナーモジュール２および１セグ用チューナーモジュール３は、それぞれ選局機能およびＯＦＤＭ復調機能を有し、受信したデジタル放送信号を放送局から送出されたＴＳパケットに復調することができる。
【００３１】
デマルチプレクサ４、５はそれぞれ複数の信号から１つの信号に多重化された信号を元の複数の信号に分配する機能を有しており、これらのうち一方のデマルチプレクサ４が、１２セグ用チューナーモジュール２からの出力信号として、映像、音声、その他のデータ（データ放送、ＥＰＧ（電子番組ガイド）、選曲情報等）を多重化した信号であるＴＳパケットを受け取り、その出力信号からＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ：番組特定情報／番組配列情報）に関する信号を分離する。また、他方のデマルチプレクサ５は、１セグ用チューナーモジュール３の出力信号から映像に関するＶｉｄｅｏ信号、音声に関するＡｕｄｉｏ信号をそれぞれ分離する。
【００３２】
前記ＰＳＩ（番組特定情報）は各ＴＳのパケットに含まれる情報を識別するための情報であり、このＰＳＩを拡張して番組名や番組表（ＥＰＧ）といった番組情報を含めたものがＳＩ（番組配列情報）である。また、具体的には、ＰＳＩとして、サービス一覧を含むＰＡＴ（Ｐｒｏｇｒａｍ Ａｓｓｏｃｉａｔｉｏｎ Ｔａｂｌｅ）、サービスに含まれる画像や音声のパケットＩＤを格納したＰＭＴ（Ｐｒｏｇｒａｍ Ｍａｐ Ｔａｂｌｅ）、個別情報を含むパケットＩＤを格納したＣＡＴ（Ｃｏｎｄｉｔｉｏｎａｌ Ａｃｃｅｓｓ Ｔａｂｌｅ）といった情報が送信され、ＳＩとしては、ＮＩＴ（Ｎｅｔｗｏｒｋ Ｉｎｆｏｒｍａｔｉｏｎ Ｔａｂｌｅ）、ＢＩＴ（Ｂｒｏａｄｃａｓｔｅｒ Ｉｎｆｏｒｍａｔｉｏｎ Ｔａｂｌｅ）、ＳＤＴ（Ｓｅｒｖｉｃｅ Ｄｅｓｃｒｉｐｔｉｏｎ Ｔａｂｌｅ）、ＥＩＴ（Ｅｖｅｎｔ Ｉｎｆｏｒｍａｔｉｏｎ Ｔａｂｌｅ）、ＳＤＴＴ（Ｓｏｆｔｗａｒｅ Ｄｏｗｎｌｏａｄ Ｔｒｉｇｇｅｒ Ｔａｂｌｅ）、ＣＤＴ（Ｃｏｍｍｏｎ Ｄａｔａ Ｔａｂｌｅ）、ＴＯＴ（Ｔｉｍｅ Ｏｆｆｓｅｔ Ｔａｂｌｅ）、ＬＩＴ（Ｌｏｃａｌ Ｅｖｅｎｔ Ｉｎｆｏｒｍａｔｉｏｎ Ｔａｂｌｅ）、ＥＲＴ（Ｅｖｅｎｔ Ｒｅｌａｔｉｏｎ Ｔａｂｌｅ）、ＮＢＩＴ（Ｎｅｔｗｏｒｋ Ｂｏａｒｄ Ｉｎｆｏｒｍａｔｉｏｎ Ｔａｂｌｅ）、ＬＤＴ（Ｌｉｎｋｅｄ Ｄｅｓｃｒｉｐｔｉｏｎ Ｔａｂｌｅ）等といった情報が送信される。
【００３３】
したがって、ＰＳＩ／ＳＩデコーダ６でデマルチプレクサ４からのＰＳＩ／ＳＩに関する出力信号がデコード処理されると、１２セグメント放送により提供される上記のような詳細な番組情報が得られ、これを基に番組表作成部９で番組表が作成される。なお、番組表作成部９で作成される番組表は、例えば前記特許文献１（特開２００４−２２２０３１号公報）に記載されるように、番組情報データを、放送時間帯、チャンネル、番組タイトル、出演者、あらすじなどの情報で構成し、これを、番組をひとつのデータセルとして、日時とチャンネルで規定できるように２次元平面に配置したものとなる。そして、各番組の情報は、放送日時とチャンネルで選択できるよう番組表作成部９にてデータベース化される。
【００３４】
前記ＰＳＩ／ＳＩデコーダ６は、１２セグ用チューナーモジュール２で受信されデマルチプレクサ４で分離されたＰＳＩ／ＳＩに関する信号を復号処理して番組情報信号に変換する第１のデコード部となっている。また、Ｈ．２６４デコーダ７は、第２のチューナー部である１セグ用チューナーモジュール３から出力される一部のセグメントの放送信号、例えば１セグメントのデジタル放送信号を映像信号に変換する第２のデコード部となっている。
【００３５】
表示部１０および音声出力部１１は、モバイル端末に通常装備されるような仕様のものであり、番組表作成部９からの出力信号とＨ．２６４デコーダ７からの出力信号を選択的にあるいは組み合わせて表示する。ここで、番組表作成部９からの出力信号とＨ．２６４デコーダ７からの出力信号を選択的に表示するとは、番組表作成部９からの出力信号とＨ．２６４デコーダ７からの出力信号のいずれか片方を表示すること、又は、番組表作成部９からの出力信号とＨ．２６４デコーダ７からの出力信号の双方を含む表示と、番組表作成部９からの出力信号とＨ．２６４デコーダ７からの出力信号のいずれか片方のみの表示とを切り替えて実行することを意味する。また、番組表作成部９からの出力信号とＨ．２６４デコーダ７からの出力信号の双方を含む表示は両者を所定の表示エリアに分けてあるいは重畳合成する等して組み合わせた表示を意味する。
【００３６】
前記ＰＳＩ／ＳＩデコーダ６、Ｈ．２６４デコーダ７、ＡＡＣデコーダ８および番組表作成部９は、表示部１０に対して、１２セグメントの放送信号のような弱階層の放送信号（一の階層）に含まれる映像信号に対応する映像を表示させ、１セグメントの放送信号のような強階層の放送信号（他の階層）に含まれる番組情報信号に対応する番組表を表示させる制御部１５を構成している。
【００３７】
次に、動作について説明する。
【００３８】
以上のように構成されたデジタル放送受信装置１においては、まず、１２セグメント放送が１２セグ用チューナーモジュール２で受信されてトランスポートストリーム（ＴＳ）に復調され、この復調されたＴＳが、デマルチプレクサ４により目的別の信号に、すなわち映像（Ｖｉｄｅｏ）に関する信号と、音声（Ａｕｄｉｏ）に関する信号と、ＰＳＩ／ＳＩに関する信号とにそれぞれ分離される。
【００３９】
１２セグメント放送を受信する図１中の一系統では、これらの分離された信号のうち、映像や音声に関する信号は使用せず、ＰＳＩ／ＳＩに関する信号だけがＰＳＩ／ＳＩデコーダ６により復号され、その復号出力が番組表作成部９に取り込まれる。
【００４０】
そして、番組表作成部９では、分離したＰＳＩ／ＳＩに関する信号を基に番組表を作成する。番組表作成部９で作成された番組表は、日時とチャンネルで規定できるので、予め番組表を作成すれば、データベースとして持っている番組情報を先行的に表示することで、番組の視聴開始時や待ち時間中等に番組情報を迅速に表示出力することができ、利用者の苛立ちを押さえることができる。
【００４１】
一方、１セグメントのデジタル放送を受信する図１中の他の一系統では、１セグ用チューナーモジュール３でその放送が受信され、１セグ用チューナーモジュール３で復調されたＴＳが、デマルチプレクサ５により、映像に関する信号と、音声に関する信号と、ＰＳＩ／ＳＩに関する信号とに分離される。ここで分離された信号のうち、ＰＳＩ／ＳＩに関する信号は使用せず、映像や音声に関する信号が使用される。すなわち、映像に関する信号はＨ．２６４デコーダ７でデコード処理され、音声に関する信号はＡＡＣデコーダ８でデコード処理される。
【００４２】
そして、デコード処理した映像に関する信号や番組表作成部９で作成された番組表が表示部１０で表示され、ＡＡＣデコーダ８でデコード処理された音声に関する信号が音声出力部１１で音声に変換されて出力される。
【００４３】
このような本発明の第１の実施の形態に係るデジタル放送受信装置１は、１２セグメントの放送信号のような弱階層の放送信号（一の階層）に含まれる映像信号を、１セグメントの放送信号のような強階層の放送信号（他の階層）に含まれる番組情報信号に対応する番組表と選択的にあるいは組み合わせて表示することがでいるので、受信した放送画像の安定した出力ができるとともに番組情報を常に適確に出力可能となる。
【００４４】
また、複数階層で構成された放送信号のうち一部のセグメントの放送信号を受信する第２のチューナー部として１セグ用チューナーモジュール３を設け、第１のチューナー部である１２セグ用チューナーモジュール２よりも受信状態に適した（受信環境、受信感度等の面から好ましい）放送信号を受信することができ、その放送信号からの復号出力を番組表作成部９からの出力信号と選択的にあるいは組み合わせて表示することができるので、安定した放送画像出力ができるとともに詳しい番組情報を適確に出力することができる。
【００４５】
特に、１セグ用チューナーモジュール３では移動中の受信に適した強階層の放送信号を受信することができ、安定した番組の視聴ができるとともに、１２セグ用チューナーモジュール２では１２セグメント放送信号に含まれる詳細な番組情報を取得することができる。したがって、番組表を作成するために必要な情報を１２セグメント放送から取得することにより、１セグメント放送から受信する番組情報よりも詳細な番組情報を取得できるようになり、例えば数日先の番組に関する詳細情報を数多く取得するといった具合に、内容の充実した番組情報を安定的に出力可能となる。
【００４６】
（第２の実施の形態）
図２は、本発明の第２の実施の形態に係るデジタル放送受信装置を示している。
【００４７】
なお、以下の実施の形態のデジタル放送受信装置は、それぞれ先に述べた実施の形態に係るデジタル放送受信装置と同一又は類似する構成要素を有しているので、それらの構成要素については、先行して説明した実施の形態と同一の参照符号を付して説明を簡略にし、相違点について詳述する。
【００４８】
この図２に示すデジタル放送受信装置２０は、１２セグメント放送を受信し復調する１２セグ用チューナーモジュール２と、１セグメント放送を受信し復調する１セグ用チューナーモジュール３と、１２セグ用チューナーモジュール２の出力信号と１セグ用チューナーモジュール３の出力信号を多重化処理するマルチプレクサ２１と、マルチプレクサ２１の出力信号を目的別の信号に分離するデマルチプレクサ２２と、デマルチプレクサ２２のＰＳＩ／ＳＩに関する出力信号をデコード処理するＰＳＩ／ＳＩデコーダ６と、デマルチプレクサ２２の映像に関する出力信号をデコード処理するＨ．２６４デコーダ７と、デマルチプレクサ２２の音声に関する出力信号をデコード処理するＡＡＣデコーダ８と、ＰＳＩ／ＳＩデコーダ６の出力信号から番組表を作成する番組表作成部９と、番組表作成部９の出力信号とＨ．２６４デコーダ７の出力信号を選択的にあるいは組み合わせて表示することができる表示部１０と、ＡＡＣデコーダ８の出力信号を音声に変換して出力する音声出力部１１とを有する構成である。
【００４９】
ここで、デマルチプレクサ２２により分離される目的別の信号とは、１２セグメント放送のＰＳＩ／ＳＩに関する信号、１２セグメント放送の映像に関する信号、１２セグメント放送の音声に関する信号、１セグメント放送のＰＳＩ／ＳＩに関する信号、１セグメント放送の映像に関する信号、および１セグメント放送の音声に関する信号である。
【００５０】
次に、以上のように構成されたデジタル放送受信装置２０の動作について説明する。
【００５１】
まず、１２セグ用チューナーモジュール２で受信して復調したＴＳと１セグ用チューナーモジュール３で受信して復調したＴＳが、マルチプレクサ２１において１つの信号に多重化されて出力される。
【００５２】
さらに、マルチプレクサ２１で多重化されたＴＳは、デマルチプレクサ２２において１２セグメント放送のＰＳＩ／ＳＩに関する信号と、１２セグメント放送の映像に関する信号と、１２セグメント放送の音声に関する信号と、１セグメント放送のＰＳＩ／ＳＩに関する信号と、１セグメント放送の映像に関する信号と、１セグメント放送の音声に関する信号とに分離される。
【００５３】
これらの信号のうち、１２セグメント放送のＰＳＩ／ＳＩに関する信号はＰＳＩ／ＳＩデコーダ６でデコード処理される。そして、番組表作成部９がＰＳＩ／ＳＩデコーダ６からの出力信号を使用して番組表を作成する。
【００５４】
この状態において、１セグメント放送の映像に関する信号は、Ｈ．２６４デコーダ７でデコード処理され、また、１セグメント放送の音声に関する信号は、ＡＡＣデコーダ８でデコード処理される。
【００５５】
さらに、表示部１０では、Ｈ．２６４デコーダ７でデコード処理された映像に関する信号や番組表作成部９で作成された番組表が選択的にあるいは組み合わされて表示される。
【００５６】
一方、ＡＡＣデコーダ８でデコード処理された音声に関する信号は、音声出力部で音声に変換されて出力される。
【００５７】
このような本発明の第２の実施の形態のデジタル放送受信装置２０は、上述の第１の実施の形態と同様の効果を奏するものとなり、番組表を作成するために必要な情報を１２セグメント放送から取得することにより、１セグメント放送から受信する番組情報よりも詳細な番組情報を取得でき、例えば数日先の番組に関する詳細情報を数多く取得することができる。
【００５８】
（第３の実施の形態）
図３は、本発明の第３の実施の形態に係るデジタル放送受信装置を示している。
【００５９】
この図３に示すデジタル放送受信装置３０は、上述した第１の実施の形態に係るデジタル放送受信装置の構成に加えて、１２セグ用チューナーモジュール２の受信状態を測定する受信感度検知部３１と、受信感度検知部３１によって検知される受信状態により１２セグメント放送信号から分離されるＰＳＩ／ＳＩ信号と１セグメント放送信号から分離されるＰＳＩ／ＳＩ信号を切り替えるＰＳＩ／ＳＩ信号切替部３２を設けたものである。
【００６０】
ここで、受信感度検知部３１は、第１のチューナー部である１２セグ用チューナーモジュール２の受信感度を検知する受信感度検知部となっており、受信状況の良否の程度を検知する受信状況検知部として機能する。
【００６１】
また、ＰＳＩ／ＳＩ信号切替部３２は、受信感度検知部３１によって検知された受信感度の良否によって、１２セグメントデジタル放送信号（弱階層の放送信号）から分離されたＰＳＩ／ＳＩ信号と、１セグメントデジタル放送信号（強階層の放送信号）から分離されたＰＳＩ／ＳＩ信号とを切り替えるようになっている。
【００６２】
したがって、１２セグメント放送信号の受信状態が悪化した場合、ＰＳＩ／ＳＩ信号切替部３２は、１２セグメント放送信号から分離されたＰＳＩ／ＳＩ信号と１セグメント放送信号から分離されたＰＳＩ／ＳＩ信号とを切り替えて、ＰＳＩ／ＳＩデコーダ６に出力する。また、１２セグメント放送信号の受信状態が回復した場合、ＰＳＩ／ＳＩ信号切替部３２は、１２セグメント放送信号から分離されたＰＳＩ／ＳＩ信号に再度切り替えてＰＳＩ／ＳＩデコーダ６に出力する。
【００６３】
前記ＰＳＩ／ＳＩデコーダ６、Ｈ．２６４デコーダ７、ＡＡＣデコーダ８、番組表作成部９およびＰＳＩ／ＳＩ信号切替部３２は制御部３５を構成しており、制御部３５は、表示部１０に対して、１２セグメントの放送信号のような弱階層の放送信号（一の階層）に含まれる映像信号に対応する映像を表示させ、さらに、１セグメントの放送信号のような強階層の放送信号（他の階層）に含まれる番組情報信号に対応する番組表を表示させることができる。また、制御部３５が、表示部１０に対して表示させる番組表を、１２セグメントの放送信号のような弱階層の放送信号（一の階層）に含まれる番組情報信号に対応する番組表にするのか、１セグメントの放送信号のような強階層の放送信号（他の階層）に含まれる番組情報信号に対応する番組表にするのかについて、受信感度検知部３１で検知された受信状況に応じて判断し、番組表を切り替えることになる。
【００６４】
本実施形態のデジタル放送受信装置３０においては、１２セグ用チューナーモジュール２の受信状態が悪化した場合、１２セグメント放送信号から分離された番組情報に関する信号に代えて、１セグメントデジタル放送信号から分離された番組情報に関する信号を使用するように、番組情報に関するＰＳＩ／ＳＩ信号を切り替えることができるので、番組情報を視聴者に絶えず安定提供することができる。
【００６５】
（第４の実施の形態）
図４は、本発明の第４の実施の形態に係るデジタル放送受信装置を示している。
【００６６】
この図４に示すデジタル放送受信装置４０は、第３の実施の形態に係るデジタル放送受信装置と同様に、１２セグ用チューナーモジュール２の受信状態を測定する受信感度検知部３１と、受信感度検知部３１によって検知される受信状態により１２セグメント放送信号から分離されるＰＳＩ／ＳＩ信号と１セグメント放送信号から分離されるＰＳＩ／ＳＩ信号を切り替えるＰＳＩ／ＳＩ信号切替部３２を設けた構成となっているが、重合分離部の構成が異なる。
【００６７】
すなわち、上述の実施形態におけるデマルチプレクサ４、５に代えて、第２の実施の形態と同様に、１２セグ用チューナーモジュール２の出力信号と１セグ用チューナーモジュール３の出力信号を多重化処理するマルチプレクサ２１と、マルチプレクサ２１の出力信号を目的別の信号に分離するデマルチプレクサ２２とが設けられており、デマルチプレクサ２２からＰＳＩ／ＳＩ信号切替部３２に対して、１２セグメント放送信号から分離されたＰＳＩ／ＳＩ信号と、１セグメント放送信号から分離されたＰＳＩ／ＳＩ信号とを、それぞれ入力させるようになっている。
【００６８】
そして、１２セグ用チューナーモジュール２での１２セグメント放送信号の受信状態が悪化した場合、ＰＳＩ／ＳＩ信号切替部３２は、１２セグメント放送信号から分離されたＰＳＩ／ＳＩ信号を１セグメント放送信号から分離されたＰＳＩ／ＳＩ信号に切り替えてＰＳＩ／ＳＩデコーダ６に出力することができる。また、１２セグメント放送信号の受信状態が回復した場合、１２セグメント放送信号から分離されたＰＳＩ／ＳＩ信号に再度切り替えてＰＳＩ／ＳＩデコーダ６に出力する。
【００６９】
本実施形態に係るデジタル放送受信装置４０でも、上述の第３の実施の形態と同様な効果を期待することができる。
【００７０】
なお、以上の説明では、複数階層で構成される放送信号のうち、強階層の放送信号を１セグメント放送信号とした例について説明したが、相対的に強階層であれば例えば３セグメント放送信号としてもよい。また、複数階層で構成される放送信号のうち、弱階層の放送信号を１２セグメント放送信号とした例について説明したが、相対的に弱階層であれば例えば９セグメント放送信号としてもよい。
【００７１】
さらに、映像に関する信号をデコード処理するデコーダをＨ．２６４デコーダ７で構成した例について説明したが、実際の１セグメント放送に多重化された映像信号の符号化方式に合わせて、他のデコーダを用いる構成としてもよいことはいうまでもない。また、以上の説明では、音声に関する信号をデコード処理するデコーダをＡＡＣデコーダ８で構成した例について説明したが、実際の１セグメント放送に多重化された音声信号の符号化方式に合わせて、他のデコーダを用いる構成としてもよい。
【００７２】
また、受信した１セグメント放送から映像に関する情報と音声に関する情報とをそれぞれ分離して表示部１０や音声出力部１１への入力信号に変換していたが、受信した１２セグメント放送から映像に関する信号と音声に関する信号とを分離して表示部１０や音声出力部１１への入力信号に変換する機能を有するものとしてもよい。
【００７３】
さらに、各階層の放送信号についての受信感度を検知するようにした場合、１２セグメント放送の受信状態は１セグメント放送の受信状態と比べて悪くなり易いが、１セグメント放送を視聴中であり１２セグメント放送の受信状態が良いときには、視聴中の１セグメント放送の受信とは別個独立に、表示・音声の出力がされていない１２セグメント放送をオートチューニングしながら、複数の局の番組情報を収集するようにしてもよい。
【産業上の利用可能性】
【００７４】
以上説明したように、本発明にかかるデジタル放送受信装置は、弱階層の放送信号から得られる詳細な番組情報と、強階層の放送信号から得られる安定した番組情報を適宜選択し又は組み合わせて充実した番組情報を視聴者に絶えず提供することができ、移動中のデジタル放送受信に適した番組情報を安定的に出力可能なデジタル放送受信装置を提供することができるという効果を奏するものであり、地上波デジタル放送の番組情報を表示する機能を備えると共に移動中の受信に適したデジタル放送受信装置全般に有用である。
【図面の簡単な説明】
【００７５】
【図１】本発明の第１の実施の形態に係るデジタル放送受信装置を示すそのブロック図
【図２】本発明の第２の実施の形態に係るデジタル放送受信装置を示すそのブロック図
【図３】本発明の第３の実施の形態に係るデジタル放送受信装置を示すそのブロック図
【図４】本発明の第４の実施の形態に係るデジタル放送受信装置を示すそのブロック図
【図５】従来例のデジタル放送受信装置を示すそのブロック図
【符号の説明】
【００７６】
１、２０、３０、４０  デジタル放送受信装置
２  １２セグ用チューナーモジュール（第１のチューナー部）
３  １セグ用チューナーモジュール（第２のチューナー部）
４、５  デマルチプレクサ
６  ＰＳＩ／ＳＩデコーダ（第１のデコード部）
７  Ｈ．２６４デコーダ（第２のデコード部）
８  ＡＡＣデコーダ
９  番組表作成部
１０  表示部
１１  音声出力部
２１  マルチプレクサ
２２  デマルチプレクサ
３１  受信感度検知部（受信状況検知部）
３２  ＰＳＩ／ＳＩ信号切替部
【図１】
2007116603.tif 000003
【図２】
2007116603.tif 000004
【図３】
2007116603.tif 000005
【図４】
2007116603.tif 000006
【図５】
2007116603.tif 000007